(57)【要約】【課題】スリガラスや型板ガラスのように、表面が粗面となった窓ガラスに対し強力な接着力が得られる窓ガラス強化フィルムを提供する。【解決手段】窓ガラス２に貼着して、窓ガラス２の破損や貫通を防止する窓ガラス強化フィルムを、耐衝撃性及び耐貫通性を有するシート状のフィルム本体４と、フィルム本体４の一方の面に形成され、かつ窓ガラス２の粗面に強固に粘着する粘着層５と、粘着層５に剥離自在に貼着された剥離紙６とから構成したことから、住宅用として多く使用されているスリガラスや型板ガラスのように、室内側面が粗面になっている窓ガラス２に対してフィルム本体４を強固に貼着することができ、これによってスリガラスや型板ガラスの耐衝撃性や耐貫通性が大幅に向上するため、窓ガラス２を破って侵入する窃盗犯等に対して高い防犯効果が得られるようになる。【選択図】        図２
2004155092.tif 000002
【特許請求の範囲】
【請求項１】
窓ガラスに貼着して、前記窓ガラスの破損や貫通を防止する窓ガラス強化フィルムであって、耐衝撃性及び耐貫通性を有するシート状のフィルム本体と、前記フィルム本体の一方の面に形成され、かつ前記窓ガラスの粗面に強固に粘着する粘着層と、前記粘着層に剥離自在に貼着された剥離紙とを具備したことを特徴とする窓ガラス強化フィルム。
【請求項２】
前記粘着層を、アクリルフォームよりなる基材の両面にアクリル系粘着剤層が形成された粘着テープにより構成してなる請求項１に記載の窓ガラス強化フィルム。
【請求項３】
前記フィルム本体に装飾模様を施してなる請求項１または２に記載の窓ガラス強化フィルム。
【発明の詳細な説明】
【０００１】
【発明の属する技術分野】
本発明は窃盗犯等が窓ガラスを破って室内へ侵入するのを防止する窓ガラス強化フィルムに関する。
【０００２】
【従来の技術】
従来住宅等の建物の開口部に設置されたサッシには、クレセント等の戸締まり錠が取り付けられているが、これらの戸締まり錠は、窓ガラスに手が入る程度の孔を開けるだけで簡単に解錠できるため、近年この種の盗難被害が頻発している。
かかる盗難被害を防止する方法としては、窓枠に複数の戸締まり錠を取り付ける方法があるが、窓ガラス全体を破って侵入する窃盗犯に対しては有効でないと共に、窓毎に複数の戸締まり錠を設けた場合、戸締まり錠の施錠、解錠に手間がかかるため操作が煩雑である上、１つでも閉め忘れると防犯効果が半減する等の問題がある。
一方窓ガラスを破って侵入する窃盗犯に対し、窓ガラスが簡単に破られぬように窓ガラスに樹脂フィルムを貼着して、窓ガラスを強化したフィルム強化ガラスが提案されている（例えば、特許文献１、２参照）。
【０００３】
【特許文献１】
特開２００２−４６２１７号公報（段落０００８）
【特許文献２】
特開２００２−１７８４５１号公報（段落００１１、００１２）
【０００４】
前記特許文献１及び２は、何れもガラス板に接着樹脂層を介して有機樹脂フィルムを積層接着することにより、機械的特性、耐久性に優れたフィルム強化ガラスを実現するようにしたもので、特に自動車のドアガラス等に接着することにより防犯ガラスとしても有用である等の効果がある。
【０００５】
【発明が解決しようとする課題】
しかし前記特許文献１及び２に記載されたフィルムは、自動車のドアガラスのように表面が平滑な板ガラスに接着した場合に高い接着力が得られることから、自動車のドアガラスの強化には有効であるが、住宅用の窓ガラスによく使用されているスリガラス（曇りガラス）や型板ガラスのように表面が粗面になった窓ガラスに接着した場合、接着力が極端に低下して所期の耐衝撃性や耐貫通性が得られなくなり、その結果窓ガラスを破って侵入する窃盗犯に対して防犯効果が低い等の問題がある。
また表面が粗面となった窓ガラスに貼着した場合、専門の職人が作業してもガラスとフィルムの間に空気が侵入して気泡となって残るため、外観が著しく損なわれる等の問題もある。
【０００６】
本発明はかかる従来の問題を改善するためになされたもので、スリガラスや型板ガラスのように表面が粗面となった窓ガラスに対し強力な粘着力が得られる窓ガラス強化フィルムを提供して、窓ガラスの耐衝撃性、耐貫通性、防犯性の向上を図ることを目的とするものである。
【０００７】
【課題を解決するための手段】
前記目的を達成するため本発明の窓ガラス強化フィルムは、窓ガラスに貼着して、窓ガラスの破損や貫通を防止する窓ガラス強化フィルムであって、耐衝撃性及び耐貫通性を有するシート状のフィルム本体と、フィルム本体の一方の面に形成され、かつ窓ガラスの粗面に強固に粘着する粘着層と、粘着層に剥離自在に貼着された剥離紙とから構成したものである。
【０００８】
前記構成により、住宅用として多く使用されているスリガラスや型板ガラスのように、室内側面が粗面になっている窓ガラスに対してフィルム本体を強固に貼着することができ、これによってスリガラスや型板ガラスの耐衝撃性や耐貫通性が大幅に向上するため、窓ガラスを破って侵入する窃盗犯等に対して高い防犯効果が得られるようになる。
【０００９】
前記目的を達成するため本発明の窓ガラス強化フィルムは、粘着層を、アクリルフォームよりなる基材の両面にアクリル系粘着剤層が形成された粘着テープにより構成したものである。
【００１０】
前記構成により、窓ガラスの粗面に粘着層がよく馴染んで粗面に粘着すため、窓ガラスの粗面に対して強力な粘着力が得られると共に、窓ガラスの粗面と粘着層の間の空気を容易に押し出すことができるため、窓ガラスとフィルム本体との間に気泡が発生することがないので外観もよい。
【００１１】
前記目的を達成するため本発明の窓ガラス強化フィルムは、フィルム本体に装飾模様を施したものである。
【００１２】
前記構成により、粘着層によりスリガラスや型板ガラスが透けても、フィルム本体に施した装飾模様によって外から室内を覗かれる心配がない。
【００１３】
【発明の実施の形態】
本発明の実施の形態を、図面を参照して詳述する。
図１は建物の開口部に取り付けられたサッシの窓ガラスにフィルムを貼着した状態の正面図、図２は窓ガラスに貼着する前の窓ガラス強化フィルムの一部切欠平面図、図３は同拡大断面図、図４は窓ガラスにフィルムを貼着した状態の拡大断面図である。
【００１４】
建物の開口部に取り付けられたサッシ１に嵌着された窓ガラス２には、内外面が平滑な透明の板ガラスの他に、一方の面が平滑で、かつ他方の面が粗面となったスリガラスや型板ガラスを使用したものがある。
スリガラスや型板ガラスの場合、窓ガラス２に汚れが付着しにくくするため、通常平滑面を外側にし、粗面が室内側となるよう窓枠３に取り付けており、このため窓ガラス２を強化するフィルム本体４は、外側から容易に剥離できないように窓ガラス２の室内側、すなわち粗面側に貼着する必要がある。
そこで本発明の実施の形態になる窓ガラス強化フィルムは、粗面にでも強固に接着できるように次のように構成されている。
フィルム本体４は、窓ガラス２の耐衝撃性、耐貫通性が十分に得られる樹脂シート材が使用されており、窓ガラス２の大きさに合わせて自由に切断できるようになっている。
【００１５】
またシート材の材料としては、塩化ビニールやアクリル、ポリカーボネート、ＡＢＳ、ナイロン、ポリプロピレン、ポリスチレン、ＦＲＢ、ベークライト、ポリエチレン、ポリアセタール等が使用されており、粘着層５によりフィルム本体４を窓ガラス２に貼着した際、スリガラスや型板ガラスが粘着層５の作用により透けて見えるのを防止するためと、フィルム本体４により室内が暗くなるのを防止するため、半透明のシート材が使用されている。
【００１６】
一方フィルム本体４を窓ガラス２へ貼着する粘着層５には、フィルム本体４を窓ガラス２の粗面にも強固に接着できる粘着テープが使用されている。
粘着層５を形成する粘着テープには、透明性が高く、かつ窓ガラス２の粗面にも強力に接合するアクリルフォーム構造用接合テープ、例えば住友スリーエム株式会社製のＹ−４９１０Ｊ／Ｙ−４９０５Ｊ等が好適である。
このアクリルフォーム構造用接合テープは、図３に示すようにアクリルフォームよりなる基材５ａの両面にアクリル系粘着剤層５ｂ，５ｃを形成した構造で、窓ガラス２の粗面にもよく馴染むように全体の肉厚が０．５〜１．０ｍｍ程度となっており、一方の粘着剤層５ｂ面にフィルム本体４が接着されている。
また他方の粘着剤層５ｃ面には、剥離紙６が剥離自在に接着されていて、この剥離紙６を剥離して粘着剤層５ｃ面を窓ガラス２の粗面に接着することにより、窓ガラス２に対してフィルム本体４が貼着できるようになっている。
【００１７】
次に前記構成された窓ガラス強化フィルムの作用を説明する。
窓ガラス強化フィルムは、予めシート状のフィルム本体４の片面全体に粘着テープを接着して粘着層５を形成するが、予めシートの状態で市販されているアクリルフォーム構造用接合テープを使用する場合は、フィルム本体４に粘着テープを接着する際内部に空気が侵入して気泡となるのを防止するため、ローラ圧着機を使用して両者を圧着する。
ローラ圧着機は既存のもので、フィルム本体４にシート状の粘着テープの粘着剤層５ｂを接着した状態でローラ対間へ通過させ、ローラ対により両者を圧着することにより内部に気泡が生じない窓ガラス強化フィルムが得られるので、これを貼着する窓ガラス２の大きさに合わせて所定寸法に切断する。
【００１８】
窓ガラス強化フィルムの切断が完了したら、粘着層５より剥離紙６を剥離した状態で、予め清掃した窓ガラス２の室内側面、すなわち粗面に粘着層５を介してフィルム本体４を貼着するもので、このとき窓ガラス２の粗面とフィルム本体４の間には気泡が生じやすいので、フィルム本体４を一定の方向へ圧着しながら内部に生じた気泡を押し出すようにして粘着層５を粗面に馴染ませる。
これによって専門の職人が施工しなくとも、容易に窓ガラス２の粗面にフィルム本体４を貼着することができると共に、フィルム本体４の貼着された窓ガラス２は、フィルム本体４により強化されるため、耐衝撃性及び耐貫通性が格段に向上し、窃盗犯等が外から窓ガラス２を破るのはほとんど困難となる。
【００１９】
ちなみに厚さ３５０μｍのフィルム本体４を前記と同様な方法で窓ガラス２の粗面に貼着した状態で破断試験を行った結果、２分間大きな音を立て続けて窓ガラス２を破らなければ、戸締まり錠に手が届く孔を開けることは困難であることが判明し、窃盗犯の侵入抑止効果が高いことが確認できた。
またアクリルフォーム構造用接合テープを使用してフィルム本体４を窓ガラス２に貼着した場合、次のような実験データが得られた。
９０度方向剥離力（Ｎ／ｃｍ）      ４０
せん断接着力    （Ｎ／ｃｍ２）    １８３
何れも圧着１０ｋｇのスチールローラ２往復、室温で７２時間養生、引っ張り速度３００／分で試験した結果である。
【００２０】
なお前記実施の形態では、フィルム本体４に半透明のシート材を使用した場合について説明したが、透明なシート材を使用したり、透明なシート材に印刷等の手段で模様を施したり、シート材を成形する際模様を施してもよく、任意なデザインを施したシールを貼付したり、着色したシート材を使用してもよい。
また粘着層５をアクリルフォーム構造用接合テープにより形成したが、窓ガラス２の粗面に強固に粘着するものであれば、アクリルフォーム構造用接合テープに限定されることはないと共に、フィルム本体４を貼着する窓ガラス２は、スリガラスや型抜きガラスに限定されることはなく、透明なガラスやステンドガラス、アルミやスチール等の金属板、ベニヤ板等の木材であってもよく、木材の場合は表面にプライマー処理を施すことにより、強固に接着することができる。
【００２１】
【発明の効果】
本発明は以上詳述したように、窓ガラスに貼着して、窓ガラスの破損や貫通を防止する窓ガラス強化フィルムを、耐衝撃性及び耐貫通性を有するシート状のフィルム本体と、フィルム本体の一方の面に形成され、かつ窓ガラスの粗面に強固に粘着する粘着層と、粘着層に剥離自在に貼着された剥離紙とから構成したことから、住宅用として多く使用されているスリガラスや型板ガラスのように、室内側面が粗面になっている窓ガラスに対してフィルム本体を強固に貼着することができ、これによってスリガラスや型板ガラスの耐衝撃性や耐貫通性が大幅に向上するため、窓ガラスを破って侵入する窃盗犯等に対して高い防犯効果が得られるようになる。
【００２２】
また粘着層を、アクリルフォームよりなる基材の両面にアクリル系粘着剤層が形成された粘着テープにより構成したことから、窓ガラスの粗面に粘着層がよく馴染んで粗面に粘着すため、粗面に対して強力な粘着力が得られると共に、窓ガラスの粗面と粘着層の間の空気を容易に押し出すことができるため、窓ガラスとフィルム本体との間に気泡が発生することがないので外観もよい。
【００２３】
さらにフィルム本体に装飾模様を施したことから、粘着層によりスリガラスや型板ガラスが透けても、フィルム本体に施した装飾模様によって外から室内を覗かれる心配がない。
【図面の簡単な説明】
【図１】本発明の実施の形態になる窓ガラス強化フィルムが貼着された窓ガラスの正面図である。
【図２】本発明の実施の形態になる窓ガラス強化フィルムの一部切欠平面図である。
【図３】本発明の実施の形態になる引窓ガラス強化フィルムの拡大断面図である。
【図４】本発明の実施の形態になる窓ガラス強化フィルムを窓ガラスに貼着した状態の拡大断面図である。
【符号の説明】
２  窓ガラス
４  フィルム本体
５  粘着層
５ａ  基材
５ｂ  粘着剤層
５ｃ  粘着剤層
６  剥離紙
【図１】
2004155092.tif 000003
【図２】
2004155092.tif 000004
【図３】
2004155092.tif 000005
【図４】
2004155092.tif 000006